(57)【要約】【課題】寸法の低減，部品点数の減少，組立て工数の低減等を図ることができ、極めて高い加工精度が要求されず、しかも、接触端子部についての特性インピーダンスの変動を抑制することも可能な、プラグコネクタとして機能するコネクタ装置を提供する。【解決手段】複数の接触端子部１７ａが配される接続嵌合部１８及びそれを支える平板状支持部１９を形成する配線板状部材１１の一端部１２と、平板状支持部１９を挟んで対向する平板状部３０及び４０を夫々有した導電性シェル１３及び１４とを備えて構成され、導電性シェル１３が、平板状支持部１９に、その第１の面を平板状部３０によって直接的に覆うべく取り付けられるとともに、導電性シェル１４が、導電性シェル１３に、平板状支持部１９の第１の面に対向する第 2の面を平板状部４０によって直接的に覆うべく取り付けられる。【選択図】図１５
2011187367.tif 000002
【特許請求の範囲】
【請求項１】
複数の接触端子部が配列配置されて設けられた接続嵌合部及び該接続嵌合部を支える平板状支持部を形成する配線板状部材の一端部と、上記平板状支持部を挟んで対向する第１及び第２の平板状部を夫々有した第１及び第２の導電性シェルと、を備えて構成され、
上記第１の導電性シェルが、上記平板状支持部に、該平板状支持部の第１の面を上記第１の平板状部によって直接的に覆うべく取り付けられるとともに、上記第２の導電性シェルが、上記第１の導電性シェルに、上記平板状支持部の上記第１の面に対向する第２の面を上記第２の平板状部によって直接的に覆うべく取り付けられ、
上記第１及び第２の導電性シェルが、上記接続嵌合部を、上記複数の接触端子部を露出させる状態をもって、相手方コネクタ装置に嵌合させるべく保持すること、
を特徴とするコネクタ装置。
【請求項２】
上記配線板状部材に備えられたシールド用導体の一部が上記接続嵌合部において露出することを特徴とする請求項１記載のコネクタ装置。
【請求項３】
上記第１の導電性シェルに、上記平板状支持部の上記第１の面と上記第２の面との間の端面に押圧係合する押圧片部が設けられていることを特徴とする請求項１記載のコネクタ装置。
【請求項４】
上記第１の導電性シェルにおける上記配線板状部材の接触端子部の配列方向の両端部の夫々に第１の係合部が設けられるとともに、上記第２の導電性シェルにおける上記配線板状部材の接触端子部の配列方向の両端部の夫々に第２の係合部が設けられ、上記第１の係合部と上記第２の係合部とが相互係合して、上記第１の導電性シェルに対する上記第２の導電性シェルの取付けがなされることを特徴とする請求項１記載のコネクタ装置。
【請求項５】
上記第１の導電性シェルと上記第２の導電性シェルとが、各々別体に形成されることを特徴とする請求項１記載のコネクタ装置。
【請求項６】
上記第１の導電性シェルと上記第２の導電性シェルとを相互連結して、該第１及び第２の導電性シェルを一体化し、上記第１及び第２の平板状部を相互対向させる状態をとる連結部を備えることを特徴とする請求項１記載のコネクタ装置。
【請求項７】
上記連結部が、上記第１の導電性シェルにおける上記配線板状部材の接触端子部の配列方向の両端部と上記第２の導電性シェルにおける上記配線板状部材の接触端子部の配列方向の両端部とを夫々相互連結するものとして、一対備えられることを特徴とする請求項６記載のコネクタ装置。
【請求項８】
両端部に一対の対向軸部が夫々形成されて、該一対の対向軸部が上記第１の導電性シェルにおける上記配線板状部材の接触端子部の配列方向の両端部により夫々回動可能に保持され、上記配線板状部材に設けられた上記接続嵌合部が相手方コネクタ装置に嵌合せしめられたとき、上記第１及び第２の導電性シェルに対して回動操作されて上記相手方コネクタ装置に係合し、上記接続嵌合部の上記相手方コネクタ装置に対する嵌合状態を維持する操作レバーを備えることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブルフラットケーブル（ＦＦＣ）等の配線板状部材に設けられた接続嵌合部に、ソリッド配線基板等に設置された相手方コネクタ装置との嵌合接続状態をとらせるコネクタ装置に関する。
【背景技術】
【０００２】
種々の電子機器に実装される、比較的小型なフレキシブル印刷配線基板やフレキシブルフラットケーブル等の配線板状部材は、各種の電気部品が取り付けられるソリッド配線基板に、当該ソリッド配線基板との電気的接続がなされたコネクタ装置を介して、電気的に接続された状態におかれて用いられることが多い。そして、比較的小型な配線板状部材をソリッド配線基板に電気的に接続するにあたっては、配線板状部材に複数の接触端子部が配された接続嵌合部を設け、その接続嵌合部を、ソリッド配線基板に取り付けられて当該ソリッド配線基板との電気的接続がなされたコネクタ装置に嵌合接続させることにより、配線板状部材のソリッド配線基板との電気的接続状態をコネクタ装置を介して得るようにすることが提案されている。
【０００３】
このような提案は、配線板状部材側に当該配線板状部材に設けられた接続嵌合部を含んで成るプラグコネクタを構築し、ソリッド配線基板に取り付けられて当該ソリッド配線基板との電気的接続がなされたコネクタ装置をリセプタクルコネクタとして、プラグコネクタをリセプタクルコネクタに嵌合連結させるものとして具体化されている（例えば、特許文献１あるいは特許文献２参照。）。
【０００４】
従来提案されている配線板状部材側に構築されるプラグコネクタの一例、例えば、特許文献１に示されるプラグコネクタ（コネクタ(101)/(102)/(103))にあっては、導体(52)が配列配置された配線板状部材(FFC(50)) の一端部が、一対の絶縁ハウジング（ベースインシュレータ(10)及びカバーインシュレータ(20)により挟まれて、配線板状部材の先端部における複数の接触端子部（導体(52)の端部）が配された接続嵌合部を一対の絶縁ハウジングからその外部に突出させる状態とされ、さらに、一対の絶縁ハウジングが、一対の導電性シェル（シェル(30)及びカバーシェル(40)）によって外側から挟まれて成る構成がとられている。それにより、配線板状部材に設けられた接続嵌合部が、一対の導電性シェルによって外側から挟まれた一対の絶縁ハウジングによって保持されていることになり、その接続嵌合部が、リセプタクルコネクタ（嵌合相手のコネクタ）に設けられた嵌合孔部に差込み嵌合せしめられ、接続嵌合部に配された複数の接触端子部の夫々が、リセプタクルコネクタに設けられたコンタクト（相手側のコンタクト(81)) に接触接続される。
【０００５】
また、従来提案されている配線板状部材側に構築されるプラグコネクタの他の例、例えば、特許文献２に示されるプラグコネクタ(1) にあっては、配線板状部材（信号伝送媒体(2))における複数の接触端子部（導体部(21)) が配列配置された接続嵌合部を形成する一端部（端末部分）が、絶縁ハウジング(12)にそれを貫通するものとして設けられた媒体挿入通路(12a）を通じて差し込まれ、接続嵌合部を絶縁ハウジング(12)外に突出させる状態をもって絶縁ハウジング(12)に固定され、絶縁ハウジング(12)が一対の導電性シェル（第１の導電性シェル(13a) 及び第２の導電性シェル(13b))によってその外側から挟まれる構成がとられている。それにより、配線板状部材に設けられた接続嵌合部が、一対の導電性シェルによって外側から挟まれて配され、接続嵌合部を形成する配線板状部材の一端部が貫通するものとされた絶縁ハウジング(12)によって保持されていることになり、その接続嵌合部が、リセプタクルコネクタ（相手方の電気コネクタ）に設けられた嵌合孔部に差込み嵌合せしめられ、接続嵌合部に配された複数の接触端子部の夫々が、リセプタクルコネクタに設けられたコンタクトに接触接続される。
【０００６】
このような従来提案されている配線板状部材側に構築されるプラグコネクタが用いられるもとにあっては、配線板状部材に設けられた接続嵌合部が、直接に、リセプタクルコネクタに設けられた嵌合孔部に差込み嵌合せしめられ、それにより、接続嵌合部に配された複数の接触端子部の夫々が、リセプタクルコネクタに設けられたコンタクトに接触接続され、リセプタクルコネクタを介して、当該リセプタクルコネクタが取り付けられたソリッド配線基板に電気的に接続される。
【先行技術文献】
【特許文献】
【０００７】
【特許文献１】特開２００６−１７３０５１号公報（第４〜７頁、図１〜６，１２）
【特許文献２】特開２００９−２６６７４９号公報（第６〜１０頁、図１〜４）
【発明の概要】
【発明が解決しようとする課題】
【０００８】
上述の特許文献１及び特許文献２の夫々に示されるような、従来提案されている、配線板状部材側に当該配線板状部材に設けられた接続嵌合部を含んで構築されるプラグコネクタは、配線板状部材における一端部を挟む一対の絶縁ハウジング、あるいは、配線板状部材における一端部が貫通するものとされる媒体挿入通路が設けられた絶縁ハウジングを、主要構成要素として備えている。それゆえ、斯かる従来提案されているプラグコネクタにあっては、少なくとも配線板状部材の厚み方向の寸法の増大，部品点数の増加，組立て工数の増加、さらには、それらによるコストの増大等々の不都合がまねかれており、さらに、絶縁ハウジング以外の各構成要素が絶縁ハウジングに対して位置決めされるので、絶縁ハウジングについて極めて高い加工精度が要求されることになるという問題もある。
【０００９】
また、上述の特許文献２に示されるようなプラグコネクタにあっては、配線板状部材におけるシールド用導体から導電性シェルを介してリセプタクルコネクタにおけるグラウンド接続部に至るグラウンド経路が、比較的長くなって接続嵌合部に配された複数の接触端子部の夫々との間の距離の変化を生じるものとなるので、信号の伝達が行われる各接触端子部についての特性インピーダンスの変動がまねかれ、各接触端子部におけるインピーダンスのミスマッチングが生じる虞がある。
【００１０】
斯かる点に鑑み、本願の特許請求の範囲に記載された発明は、フレキシブル印刷配線基板やフレキシブルフラットケーブル等の配線板状部材における複数の接触端子部が配列配置されて設けられた接続嵌合部を含んで構築されるプラグコネクタとして機能するものであって、少なくとも配線板状部材の厚み方向の寸法の低減，部品点数の減少，組立て工数の低減等を図ることができ、さらには、各構成要素について極めて高い加工精度が要求されることがなく、しかも、信号の伝達が行われる各接触端子部についての特性インピーダンスの変動を抑制することも可能なコネクタ装置を提供する。
【課題を解決するための手段】
【００１１】
本願の特許請求の範囲における請求項１から請求項８までのいずれかに記載された発明（以下、本発明という。）に係るコネクタ装置は、複数の接触端子部が配列配置されて設けられた接続嵌合部及びそれを支える平板状支持部を形成する配線板状部材の一端部と、配線板状部材の一端部が形成する平板状支持部を挟んで対向する第１及び第２の平板状部を夫々有した第１及び第２の導電性シェルと、を備えて構成され、第１の導電性シェルが、配線板状部材の一端部が形成する平板状支持部に、その平板状支持部の第１の面を第１の平板状部によって直接的に覆うべく取り付けられるとともに、第２の導電性シェルが、第１の導電性シェルに、配線板状部材の一端部が形成する平板状支持部の第１の面に対向する第２の面を第２の平板状部によって直接的に覆うべく取り付けられ、第１及び第２の導電性シェルが、配線板状部材の一端部が形成する接続嵌合部を、複数の接触端子部を露出させる状態をもって、相手方コネクタ装置に嵌合させるべく保持することを特徴とする。
【００１２】
特に、本発明に係るコネクタ装置のうちの請求項２に記載されたものにあっては、配線板状部材に備えられたシールド用導体の一部が接続嵌合部において露出する。
【００１３】
また、本発明に係るコネクタ装置のうちの請求項３に記載されたものにあっては、第１の導電性シェルに、配線板状部材の一端部が形成する平板状支持部の第１の面と第２の面との間の端面に押圧係合する押圧片部が設けられている。
【００１４】
さらに、本発明に係るコネクタ装置のうちの請求項６に記載されたものは、第１の導電性シェルと第２の導電性シェルとを相互連結して、第１及び第２の導電性シェルを一体化し、第１及び第２の導電性シェルが夫々有する第１及び第２の平板状部を相互対向させる状態をとる連結部を備える。
【００１５】
上述のように構成される本発明に係るコネクタ装置は、複数の接触端子部が配列配置されるとともにシールド用導体が配されて設けられる接続嵌合部及びそれを支える平板状支持部を形成する配線板状部材の一端部を構成要素の一つとして構成され、リセプタクルコネクタに嵌合連結されるプラグコネクタとして機能させることができる。
【００１６】
斯かる本発明に係るコネクタ装置にあっては、配線板状部材の一端部が形成する平板状支持部を挟んで対向する第１及び第２の平板状部を夫々有した第１及び第２の導電性シェルが備えられ、第１の導電性シェルが、配線板状部材の一端部が形成する平板状支持部に、その平板状支持部の第１の面を第１の平板状部によって、例えば、絶縁部材等を介することなく、直接的に覆うべく取り付けられ、また、第２の導電性シェルが、第１の導電性シェルに、配線板状部材の一端部が形成する平板状支持部の第１の面に対向する第２の面を第２の平板状部によって、例えば、絶縁部材等を介することなく、直接的に覆うべく取り付けられる。それにより、第１及び第２の導電性シェルが、配線板状部材の一端部が形成する接続嵌合部を、配線板状部材における複数の接触端子部を露出させる状態をもって、例えば、リセプタクルコネクタと呼ばれる相手方コネクタ装置に嵌合させるべく保持する状態におかれる。
【００１７】
そして、接続嵌合部が、例えば、リセプタクルコネクタと呼ばれる相手方コネクタ装置に嵌合せしめられるときには、接続嵌合部において露出する複数の接触端子部が相手方コネクタ装置における信号伝達用の導電コンタクトに接触接続される。
【００１８】
配線板状部材の一端部が形成する接続嵌合部は、例えば、請求項２に記載されたコネクタ装置の場合のように、複数の接触端子部に加えて、配線板状部材に備えられたシールド用導体の一部が露出するものとされる。斯かる際には、第１及び第２の導電性シェルは、接続嵌合部を、配線板状部材における複数の接触端子部とシールド用導体とを露出させる状態をもって、例えば、リセプタクルコネクタと呼ばれる相手方コネクタに嵌合させるべく保持する。
【００１９】
また、配線板状部材の一端部が形成する平板状支持部に取り付けられる第１の導電性シェルは、例えば、請求項３に記載されたコネクタ装置の場合のように、配線板状部材の一端部が形成する平板状支持部の第１の面と第２の面との間の端面に押圧係合する押圧片部が設けられたものとされる。斯かる押圧片部は、配線板状部材の一端部が形成する平板状支持部に対する第１の導電性シェルの位置決めを適正になして、第１の導電性シェルを平板状支持部に対して安定に固定させる。
【００２０】
さらに、第１の導電性シェルと第２の導電性シェルとは、例えば、請求項６に記載されたコネクタ装置の場合のように、連結部により相互連結されて一体化される。斯かる連結部は、第１及び第２の導電性シェルが夫々有する第１及び第２の平板状部を相互対向させる状態をとる。
【発明の効果】
【００２１】
上述のような本発明に係るコネクタ装置は、第１の導電性シェルが、配線板状部材の一端部が形成する平板状支持部に、その板状支持部の第１の面を第１の平板状部によって、例えば、絶縁部材等を介することなく、直接的に覆うべく取り付けられるとともに、第２の導電性シェルが、第１の導電性シェルに、配線板状部材の一端部が形成する平板状支持部の第１の面に対向する第 2の面を第２の平板状部によって、例えば、絶縁部材等を介することなく、直接的に覆うべく取り付けられ、それにより、第１及び第２の導電性シェルが、配線板状部材の一端部が形成する接続嵌合部を、配線板状部材における複数の接触端子部を露出させる状態をもって、例えば、リセプタクルコネクタと呼ばれる相手方コネクタ装置に嵌合させるべく保持するようにして構成される。
【００２２】
従って、本発明に係るコネクタ装置にあっては、絶縁ハウジングもしくはそれに相当する絶縁部材を構成要素として備えることが必要とされず、その結果、コストの削減に繋がることになる、少なくとも配線板状部材の厚み方向の寸法の低減，部品点数の減少，組立て工数の低減等を図ることができる。それに加えて、絶縁ハウジングもしくはそれに相当する絶縁部材を備えないことからして、絶縁ハウジング以外の各構成要素が絶縁ハウジングに対して位置決めされることに伴って絶縁ハウジングについての極めて高い加工精度が要求されるという問題も伴わず、各構成要素について極めて高い加工精度が要求されることもない。
【００２３】
そして、本発明に係るコネクタ装置にあっては、例えば、請求項２に記載されたコネクタ装置のように、第１及び第２の導電性シェルによって保持される接続嵌合部において、配線板状部材における複数の接触端子部とシールド用導体とが露出し、接続嵌合部が、例えば、リセプタクルコネクタと呼ばれる相手方コネクタ装置に嵌合せしめられるときには、複数の接触端子部が相手方コネクタ装置における信号伝達用の導電コンタクトに接触接続されるとともに、シールド用導体が相手方コネクタ装置におけるグラウンド接続部に接触接続される。それにより、配線板状部材におけるシールド用導体及びそれに接触接続する相手方コネクタ装置におけるグラウンド接続部により形成されるグラウンド経路と配線板状部材における複数の接触端子部の夫々との間の距離を一定に保つことができて、信号の伝達が行われる各接触端子部についての特性インピーダンスの変動を抑制することができることになる。
【００２４】
また、例えば、請求項３に記載されたコネクタ装置のように、配線板状部材の一端部が形成する平板状支持部に取り付けられる第１の導電性シェルが、平板状支持部の第１の面と第２の面との間の端面に押圧係合する押圧片部が設けられたものとされる場合には、第１の導電性シェルの平板状支持部への取付けを、配線板状部材の厚み方向の寸法の増加が最小限に抑えられるもとで、確実に行うことができる。
【００２５】
さらに、例えば、請求項６に記載されたコネクタ装置のように、第１の導電性シェルと第２の導電性シェルとが、連結部により相互連結されて一体化される場合には、第１及び第２の導電性シェルの作成を、例えば、金属板素材に対する打抜き加工により、同時かつ容易に行うことができ、さらに、第１及び第２の導電性シェルを用いた組立て工程を簡易化することができて、その結果、より一層のコスト削減を図ることができる。
【図面の簡単な説明】
【００２６】
【図１】本発明に係るコネクタ装置の第１の例の構成要素を成す配線板状部材の一端部を当該配線板状部材の他の部分と共に示す斜視図である。
【図２】本発明に係るコネクタ装置の第１の例の構成要素を成す二つの導電性シェル及び操作レバーを示す斜視図である。
【図３】本発明に係るコネクタ装置の第１の例の構成要素を成す一端部を有した配線板状部材を示す平面図（裏面図）である。
【図４】本発明に係るコネクタ装置の第１の例の構成要素を成す一端部を有した配線板状部材を示す平面図（表面図）である。
【図５】図４における V−V 線断面を示す断面図である。
【図６】図４におけるVI−VI線断面を示す断面図である。
【図７】本発明に係るコネクタ装置の第１の例の構成要素を成す二つの導電性シェルのうちの一方を示す平面図である。
【図８】本発明に係るコネクタ装置の第１の例の構成要素を成す二つの導電性シェルのうちの他方を示す平面図（表面図）である。
【図９】本発明に係るコネクタ装置の第１の例の構成要素を成す二つの導電性シェルのうちの他方を示す裏面図である。
【図１０】図１に示される配線板状部材に図７に示される導電性シェルが組み付けられた状態を示す斜視図である。
【図１１】図１に示される配線板状部材に図７に示される導電性シェル及び操作レバーが組み付けられた状態を示す平面図である。
【図１２】図１に示される配線板状部材に図２に示される二つの導電性シェル及び操作レバーが組み付けられた状態を示す平面図（表面図）である。
【図１３】図１に示される配線板状部材に図２に示される二つの導電性シェル及び操作レバーが組み付けられた状態を示す裏面図である。
【図１４】図１２における XIV−XIV 線断面を示す断面図である。
【図１５】図１２におけるXV−XV線断面を示す断面図である。
【図１６】図１２における XVI−XVI 線断面を示す断面図である。
【図１７】本発明に係るコネクタ装置の第１の例をそれが嵌合連結される相手方コネクタ装置と共に示す斜視図である。
【図１８】本発明に係るコネクタ装置の第１の例が相手方コネクタ装置に嵌合連結された状態を示す斜視図である。
【図１９】本発明に係るコネクタ装置の第１の例が相手方コネクタに嵌合連結された状態を示す平面図である。
【図２０】図１９におけるXX−XX線断面を示す断面図である。
【図２１】図１９における XXI−XXI 線断面を示す断面図である。
【図２２】本発明に係るコネクタ装置の第２の例の構成要素を成す二つの導電性シェルを示す斜視図である。
【図２３】図１に示される配線板状部材に図２２に示される二つの導電性シェル及び操作レバーが組み付けられた状態を示す斜視図である。
【図２４】図１に示される配線板状部材に図２２に示される二つの導電性シェル及び操作レバーが組み付けられた状態を示す平面図である。
【図２５】図２４における XXV−XXV 線断面を示す断面図である。
【図２６】図２４におけるXXVI−XXVI線断面を示す断面図である。
【図２７】図２４における XXVII−XXVII 線断面を示す断面図である。
【発明を実施するための形態】
【００２７】
本発明を実施するための形態は、以下に述べられる本発明についての実施例をもって説明される。
【実施例１】
【００２８】
図１は、本発明に係るコネクタ装置の第１の例の構成要素を成す配線板状部材１１の一端部１２を、当該配線板状部材１１の他の部分と共に示す斜視図である。配線板状部材１１は、例えば、フレキシブルフラットケーブルとされる。また、図２は、図１に示される配線板状部材１１の一端部１２と共に本発明に係るコネクタ装置の第１の例を構成する導電性シェル１３，導電性シェル１４及び操作レバー１５を示す。
【００２９】
配線板状部材１１は、図３〜図６にも示されるように、板状絶縁基体１６を備えており、配線板状部材１１の一端部１２は、板状絶縁基体１６の一端部を含んで構成されている。板状絶縁基体１６には、図４におけるVI−VI線断面を示す図６に示されるように、実質的に平行配置された信号伝達用の複数の細帯状導体１７（複数の細帯状導体１７のうちの一つの断面が現れている。）が、各々の一端部に形成されて板状絶縁基体１６の外部に露出する接触端子部１７ａを伴って埋め込まれている。
【００３０】
配線板状部材１１の一端部１２は、複数の接触端子部１７ａが配列配置された接続嵌合部１８と複数の接触端子部１７ａの配列方向（以下、端子配列方向という。）に伸びて接続嵌合部１８を支える平板状支持部１９とを形成している。そして、配線板状部材１１における平板状支持部１９に隣接する部分における端子配列方向の両端部には、切欠き部２０Ａ及び２０Ｂが夫々設けられている。
【００３１】
配線板状部材１１が備える板状絶縁基体１６の一対の相互対向面の一方は、図３，図４における VーV 線断面を示す図５及び図６にも明瞭に示されるように、接続嵌合部１８の先端側縁部に属する部分及び平板状支持部１９における端子配列方向の両端部に属する部分を除き、略全面に亙ってシールド用導体２１によって覆われている。そして、シールド用導体２１の端縁部２１ａは、接続嵌合部１８に、板状絶縁基体１６を挟んで複数の接触端子部１７ａに対向する状態をもって配されている。また、板状絶縁基体１６の一対の相互対向面の他方は、図４，図５及び図６にも明瞭に示されるように、平板状支持部１９の一部分に属する部分を除き、略全面に亙ってシールド用導体２２によって覆われている。便宜上、平板状支持部１９の一対の相互対向面について、その平板状支持部１９における端子配列方向の両端部に属する部分を除き、略全面に亙ってシールド用導体２１が配された面を第１の面といい、平板状支持部１９の一部分に属する部分を除き、略全面に亙ってシールド用導体２２が配された面を第２の面という。
【００３２】
配線板状部材１１の一端部１２における一対の相互対向面の一方あるいは双方には、強度を高めるための補強板が配されても良い。
【００３３】
シールド用導体２１は、接続嵌合部１８の一部，平板状支持部１９の大部分及び平板状支持部１９に隣接する部分に対応する部分を除いて、保護フィルム２３によって覆われており、また、シールド用導体２２は、平板状支持部１９の一部及び平板状支持部１９に隣接する部分に対応する部分を除いて、保護フィルム２４によって覆われている。
【００３４】
図２に示される導電性シェル１３及び導電性シェル１４の夫々は、例えば、弾性金属板材に打抜き加工及び押圧屈曲加工が施されて、各々別体に形成される。
【００３５】
そして、導電性シェル１３は、その内面側を示す図７にも明瞭に示されるように、細長の平板状部３０を有しており、平板状部３０の相互対向する両端部の一方である一端部には、押圧片部３１と係合部３２及び３３とが設けられており、また、平板状部３０の相互対向する両端部の他方である他端部には、押圧片部３４と係合部３５及び３６とが設けられている。さらに、係合部３３からは、係止部３７が外方に突出しており、係合部３６からは、係止部３８が外方に突出している。
【００３６】
一方、導電性シェル１４は、その外面側を示す図８及びその内面側を示す図９にも明瞭に示されるように、細長の平板状部４０を有しており、平板状部４０の相互対向する両端部の一方である一端部には、係合部４１及び４２が設けられており、また、平板状部４０の相互対向する両端部の他方である他端部には、係合部４３及び４４が設けられている。平板状部４０には、複数の押圧舌片部４０ａが所定の間隔をおいて形成されている。また、係合部４２及び４４にも、押圧舌片部４２ａ及び４４ａが夫々形成されている。
【００３７】
図２に示される操作レバー１５は、例えば、金属棒材に屈曲加工が施されて形成される。そして、操作レバー１５は、一対の屈曲腕部４５及び４６と、屈曲腕部４５と屈曲腕部４６とを連結する直線状の連結部４７とを有している。屈曲腕部４５の端部４８と屈曲腕部４６の端部４９とは相互対向するように屈曲されていて、端部４８の先端部が軸部５０を形成しており、また、端部４９の先端部が軸部５１を形成している。連結部４７には、絶縁チューブ５２が被せられている。この絶縁チューブ５２は、それに代えて、絶縁テープや絶縁性を有した樹脂コーティング等とされてもよい。
【００３８】
このような操作レバー１５は、その端部４８が、導電性シェル１３における平板状部３０の一端部により、軸部５０が係合部３３の内側に嵌合して係止部３７による抜止めを受けるもとで、回動可能に保持されるとともに、その端部４９が、導電性シェル１３における平板状部３０の他端部により、軸部５１が係合部３６の内側に嵌合して係止部３８による抜止めを受けるもとで、回動可能に保持されて、導電性シェル１３に回動可能なものとして取り付けられる。
【００３９】
上述の導電性シェル１３は、図１０に示されるように、配線板状部材１１における平板状支持部１９に取り付けられる。導電性シェル１３の平板状支持部１９への取付けは、導電性シェル１３における平板状部３０の内面が、配線板状部材１１における平板状支持部１９の第１の面に対接せしめられるもとで行われる。
【００４０】
その際、導電性シェル１３における係合部３３の一部が配線板状部材１１に設けられた切欠き部２０Ａに係合するとともに、導電性シェル１３における係合部３６の一部が配線板状部材１１に設けられた切欠き部２０Ｂに係合し、さらに、導電性シェル１３における押圧片部３１及び３４の夫々が、平板状支持部１９の第１の面と第２の面との間の端面に押圧係合して、平板状支持部１９に対する導電性シェル１３の位置決めを行う。それにより、導電性シェル１３が、平板状支持部１９に、その第１の面を、平板状部３０によって、例えば、絶縁部材等を介することなく、直接的に覆うべく取り付けられた状態が得られる。
【００４１】
次に、平板状支持部１９に取り付けられた導電性シェル１３への操作レバー１５の取付けがなされる。その際には、図１１に示されるように、操作レバー１５の端部４８が、それに設けられた軸部５０が導電性シェル１３における係合部３３の内側に嵌合して導電性シェル１３における係止部３７による抜止めを受けるものとされて、導電性シェル１３の一端部により回動可能に保持されるとともに、操作レバー１５の端部４９が、それに設けられた軸部５１が導電性シェル１３における係合部３６の内側に嵌合して導電性シェル１３における係止部３８による抜止めを受けるものとされて、導電性シェル１３の他端部により回動可能に保持される。それにより、操作レバー１５が、導電性シェル１３に、それに対して回動可能に取り付けられる。
【００４２】
続いて、平板状支持部１９に取り付けられた導電性シェル１３への導電性シェル１４の取付けがなされる。斯かる導電性シェル１４の導電性シェル１３への取付けは、導電性シェル１４における平板状部４０の内面が、配線板状部材１１における平板状支持部１９の第２の面に対接せしめられるもとで行われる。
【００４３】
その際、導電性シェル１４における係合部４１及び４３が、導電性シェル１３における係合部３２及び３５に夫々係合するとともに、導電性シェル１４における係合部４２及び４４が、導電性シェル１３における係合部３３及び３６に夫々係合して、導電性シェル１３が取り付けられた平板状支持部１９に対する導電性シェル１４の位置決めを行う。それにより、図１２に示されるように、導電性シェル１４が、平板状支持部１９に取り付けられた導電性シェル１３に、平板状支持部１９の第２の面を、平板状部４０によって、例えば、絶縁部材等を介することなく直接的に覆うべく、かつ、導電性シェル１３における係合部３３の内側及び係合部３６の内側に嵌合した操作レバー１５における端部４８及び４９を、係合部４２に形成された押圧舌片部４２ａ及び係合部４４に形成された押圧舌片部４４ａによって夫々位置規制すべく取り付けられた状態が得られる。
【００４４】
このようにして、配線板状部材１１の一端部１２が形成する平板状支持部１９に導電性シェル１３が取り付けられ、その導電性シェル１３に操作レバー１５が回動可能に取り付けられ、さらに、平板状支持部１９に取り付けられた導電性シェル１３に導電性シェル１４が取り付けられたもとにあっては、図１２における XIV−XIV 線断面，XV−XV線断面及び XVI−XVI 線断面を夫々示す図１４，図１５及び図１６にも示されるように、導電性シェル１３における平板状部３０と導電性シェル１４における平板状部４０とが、平板状支持部１９を挟んで対向する位置に配される。そして、導電性シェル１３における平板状部３０が、平板状支持部１９の第１の面を直接的に覆い、また、導電性シェル１４における平板状部４０が、平板状支持部１９の第２の面を直接的に覆うことになる。
【００４５】
また、図１５及び図１６に示されるように、平板状支持部１９の第１の面を覆う導電性シェル１３の平板状部３０は、平板状支持部１９に配されたシールド用導体２１に直接に当接して電気的に接触する。それにより、導電性シェル１３がシールド用導体２１との電気的接続がなされた状態におかれる。さらに、平板状支持部１９の第２の面を覆う導電性シェル１４の平板状部４０に形成された押圧舌片部４０ａは、平板状支持部１９に配されたシールド用導体２２に押圧当接して、シールド用導体２２に電気的に接触する。それにより、導電性シェル１４がシールド用導体２２との電気的接続がなされた状態におかれる。
【００４６】
シールド用導体２１と導電性シェル１３との相互接続、及び、シールド用導体２２と導電性シェル１４との相互接続については、上述の実施例のように、直接接触による接触接続、もしくは、押圧舌片部４０ａによる接触接続とされるだけではなく、半田付けによる接続も可能である。
【００４７】
図１６に示されるように、導電性シェル１３における係合部３２への導電性シェル１４における係合部４１の係合は、例えば、導電性シェル１４における係合部４１に設けられた係合孔４１ａが導電性シェル１３における係合部３２に設けられた係合突起３２ａに係合することによりなされ、また、導電性シェル１３における係合部３３への導電性シェル１４における係合部４２の係合も、例えば、導電性シェル１４における係合部４２に設けられた係合孔４２ｂが導電性シェル１３における係合部３３に設けられた係合突起３３ａに係合することによりなされる。
【００４８】
詳細図示はされていないが、導電性シェル１３における係合部３５への導電性シェル１４における係合部４３の係合、及び、導電性シェル１３における係合部３６への導電性シェル１４における係合部４４の係合も、上述の導電性シェル１３における係合部３２への導電性シェル１４における係合部４１の係合、及び、導電性シェル１３における係合部３３への導電性シェル１４における係合部４２の係合と同様になされる。
【００４９】
そして、図１２，図１４及び図１５に示されるように、平板状支持部１９の第２の面を覆う導電性シェル１４の平板状部４０における係合部４１と係合部４３とによって挟まれた端縁部４０ｂからは、複数の接触端子部１７ａが配列配置された接続嵌合部１８が外方に向かって突出ており、複数の接触端子部１７ａが露出するものとされる。
【００５０】
また、図１３，図１４及び図１５に示されるように、平板状支持部１９の第１の面を覆う導電性シェル１３の平板状部３０における係合部３２と係合部３５とによって挟まれた端縁部３０ａからは、シールド用導体２１の端縁部２１ａが配された接続嵌合部１８が外方に向かって突出ており、シールド用導体２１の端縁部２１ａが、端子配列方向に拡がる状態をもって露出するものとされる。
【００５１】
その結果、配線板状部材１１の一端部１２が形成する平板状支持部１９の第１の面を直接的に覆う平板状部３０を有した導電性シェル１３と、平板状支持部１９の第２の面を直接的に覆い、平板状支持部１９を挟んで平板状部３０に対向する平板状部４０を有した導電性シェル１４とが、配線板状部材１１の一端部１２が形成する接続嵌合部１８を、複数の接触端子部１７ａ及びシールド用導体２１の端縁部２１ａを露出させる状態をもって保持する構成がとられ、それによって、本発明に係るコネクタ装置の第１の例が得られる。このようにして得られる本発明に係るコネクタ装置の第１の例は、相手方コネクタ装置とされるリセプタクルコネクタに嵌合連結されるプラグコネクタとしての機能を果たす。
【００５２】
従って、本発明に係るコネクタ装置の第１の例において、導電性シェル１３及び導電性シェル１４は、接続嵌合部１８を、複数の接触端子部１７ａ及びシールド用導体２１の端縁部２１ａを露出させる状態をもって、相手方コネクタ装置であるリセプタクルコネクタに嵌合させるべく保持していることになる。
【００５３】
図１７は、上述のようにして得られる本発明に係るコネクタ装置の第１の例を成すプラグコネクタ５５を、それが嵌合する相手方コネクタ装置を成すリセプタクルコネクタ６０と共に示す。
【００５４】
図１７に示されるリセプタクルコネクタ６０は、例えば、図示されていないソリッド印刷配線基板とされる基板にそれに設けられた電気回路構成部との電気的接続がなされて取り付けられた状態のもとで、プラグコネクタ５５が嵌合するものとされている。そして、リセプタクルコネクタ６０は、合成樹脂等の絶縁材料によって形成された絶縁ハウジング６１、及び、外部からの電磁波ノイズ対策のため絶縁ハウジング６１の外面部の殆どを覆うものとされた、例えば、弾性を有した金属板材料が屈曲されて成る導電性シェル６２を備えている。
【００５５】
絶縁ハウジング６１及び導電性シェル６２には、プラグコネクタ５５に設けられた接続嵌合部１８との嵌合状態におかれる、絶縁ハウジング６１の長手方向（矢印Ｌにより示される方向であって、以下、Ｌ方向という。）に伸びる嵌合凹部６３が設けられている。また、絶縁ハウジング６１には、各々が、例えば、弾性を有した金属材料が屈曲されて形成された信号伝達用の複数の導電コンタクト６４が、Ｌ方向に沿って配列配置されるものとされて配されている。そして、複数の導電コンタクト６４の夫々における絶縁ハウジング６１からその外方に突出する一端は、リセプタクルコネクタ６０が取り付けられる基板に設けられた配線パターン部に接続される接続端子を形成している。また、複数の導電コンタクト６４の夫々における他端側の部分は、嵌合凹部６３内に配され、プラグコネクタ５５に設けられた接続嵌合部１８が嵌合凹部６３との嵌合状態におかれるとき、接続嵌合部１８に配された複数の接触端子部１７ａのうちの対応するものが接触接続されるものとされる。
【００５６】
導電性シェル６２には、Ｌ方向における両端部６５Ａ及び６５Ｂに、プラグコネクタ５５に設けられた接続嵌合部１８が絶縁ハウジング６１に設けられた嵌合凹部６３との嵌合状態におかれるとき、プラグコネクタ５５の導電性シェル１４における係合部４１に設けられた係合突起４１ｂ及び係合部４３に設けられた係合突起４３ａが夫々係合する係合孔６６Ａ及び６６Ｂが設けられている。
【００５７】
また、導電性シェル６２には、配列配置された複数の導電コンタクト６４を挟む位置において絶縁ハウジング６１からその外部に突出し、リセプタクルコネクタ６０が取り付けられる基板に設けられたグラウンド電位部に接続されるグラウンド端子部６７Ａ及び６７Ｂが設けられている。それにより、導電性シェル６２は、リセプタクルコネクタ６０におけるグラウンド接続部を構成していることになる。
【００５８】
さらに、導電性シェル６２における端部６５Ａには、プラグコネクタ５５に設けられた接続嵌合部１８が絶縁ハウジング６１に設けられた嵌合凹部６３との嵌合状態におかれるとき、プラグコネクタ５５に備えられて回動操作された操作レバー１５における屈曲腕部４５に係合する弾性係合部６８Ａが設けられている。同様に、導電性シェル６２における端部６５Ｂにも、プラグコネクタ５５に設けられた接続嵌合部１８が絶縁ハウジング６１に設けられた嵌合凹部６３との嵌合状態におかれるとき、プラグコネクタ５５に備えられて回動操作された操作レバー１５における屈曲腕部４６に係合する弾性係合部６８Ｂが設けられている。
【００５９】
このようなリセプタクルコネクタ６０は、複数の導電コンタクト６４の夫々の一端が、リセプタクルコネクタ６０が取り付けられる基板に設けられた配線パターン部に接続され、また、グラウンド端子部６７Ａ及び６７Ｂが、リセプタクルコネクタ６０が取り付けられる基板に設けられたグラウンド電位部に接続されて、基板にそれに設けられた電気回路構成部との電気的接続がなされて取り付けられた状態におかれる。
【００６０】
上述のプラグコネクタ５５及びリセプタクルコネクタ６０は、リセプタクルコネクタ６０が、例えば、ソリッド印刷配線基板とされる基板にそれに設けられた電気回路構成部との電気的接続がなされて取り付けられた状態のもとで、図１８（斜視図）及び図１９（平面図）、さらには、図１９におけるXX−XX線断面及び XXI−XXI 線断面を夫々示す図２０及び図２１に示されるように、プラグコネクタ５５に設けられた接続嵌合部１８が、リセプタクルコネクタ６０の絶縁ハウジング６１及び導電性シェル６２に設けられた嵌合凹部６３に、Ｌ方向に直交するＳ方向（矢印Ｓにより示される方向）に沿った移動を伴う差込みがなされて嵌合する状態におかれる。それにより、プラグコネクタ５５がリセプタクルコネクタ６０に嵌合連結された状態が得られる。
【００６１】
図１８〜図２１に示されるように、プラグコネクタ５５に設けられた接続嵌合部１８が、リセプタクルコネクタ６０の絶縁ハウジング６１及び導電性シェル６２に設けられた嵌合凹部６３に差し込まれて嵌合する状態におかれるときには、プラグコネクタ５５の導電性シェル１４における係合部４１に設けられた係合突起４１ｂ及び係合部４３に設けられた係合突起４３ａが、リセプタクルコネクタ６０の導電性シェル６２に設けられた係合孔６６Ａ及び６６Ｂに夫々係合する。それによって、導電性シェル１４と導電性シェル６２とが相互に接触接続されるとともに、プラグコネクタ５５に設けられた接続嵌合部１８のリセプタクルコネクタ６０における嵌合凹部６３との嵌合状態が保たれる。
【００６２】
また、斯かるもとにあっては、プラグコネクタ５５に備えられた操作レバー１５が、絶縁チューブ５２による被覆がなされた連結部４７が配線板状部材１１における保護フィルム２４側に配された位置から接続嵌合部１８側に配されることになる位置へと回動操作されて、図１８〜図２１に示される状態をとるものとされる。
【００６３】
プラグコネクタ５５に備えられた操作レバー１５が図１８〜図２１に示される状態をとるものとされたもとにあっては、操作レバー１５の屈曲腕部４５及び４６が、リセプタクルコネクタ６０の導電性シェル６２に設けられた弾性係合部６８Ａ及び６８Ｂに、各々における突出部を乗り越えて夫々係合するものとされる。それにより、操作レバー１５のリセプタクルコネクタ６０に対する位置決めが行われ、それに伴って、プラグコネクタ５５がリセプタクルコネクタ６０に嵌合接続された状態が維持される。
【００６４】
なお、前述の本発明に係るコネクタ装置の第１の例、即ち、プラグコネクタ５５は、操作レバー１５を備えるものとされているが、本発明に係るコネクタ装置は、操作レバー１５もしくはそれに相当する部材を備えることを必ず必要とするものではなく、操作レバー１５もしくはそれに相当する部材を備えない場合もある。
【００６５】
また、プラグコネクタ５５に設けられた接続嵌合部１８が、リセプタクルコネクタ６０の絶縁ハウジング６１及び導電性シェル６２に設けられた嵌合凹部６３に差し込まれて嵌合する状態におかれたもとにあっては、図２０に示されるように、リセプタクルコネクタ６０の嵌合凹部６３内において、プラグコネクタ５５に設けられた接続嵌合部１８に配列配置された複数の接触端子部１７ａの夫々に、リセプタクルコネクタ６０に備えられた複数の導電コンタクト６４のうちの対応するものの他端側の部分が押圧接触する。それにより、各接触端子部１７ａがそれに対応する導電コンタクト６４に電気的に接触接続され、プラグコネクタ５５側における板状絶縁基体１６に埋め込まれた複数の細帯状導体１７の夫々とそれに対応するリセプタクルコネクタ６０に備えられた導電コンタクト６４との間での信号伝達が行われ得る状態とされる。その結果、プラグコネクタ５５側における配線板状部材１１とリセプタクルコネクタ６０が取り付けられる基板に設けられた電気回路構成部との間における信号伝達が、プラグコネクタ５５及びリセプタクルコネクタ６０を介して行われる。
【００６６】
さらに、プラグコネクタ５５に設けられた接続嵌合部１８が、リセプタクルコネクタ６０の絶縁ハウジング６１及び導電性シェル６２に設けられた嵌合凹部６３に差し込まれて嵌合する状態におかれたもとにあっては、図２０及び図２１に示されるように、プラグコネクタ５５に設けられた接続嵌合部１８に配されたシールド用導体２１の端縁部２１ａが、リセプタクルコネクタ６０が備える導電性シェル６２に直接的に接触接続される。またそれとともに、プラグコネクタ５５が備える導電性シェル１３の平板状部３０も、リセプタクルコネクタ６０が備える導電性シェル６２に接触接続される。
【００６７】
それにより、リセプタクルコネクタ６０がグラウンド接続部を構成するものとして備える導電性シェル６２に、プラグコネクタ５５側の配線板状部材１１におけるシールド用導体２１が直接的に、また、プラグコネクタ５５側の配線板状部材１１におけるシールド用導体２２が導電性シェル１３及び１４を介して接続されることになる。その結果、プラグコネクタ５５側の配線板状部材１１におけるシールド用導体２１及び２２が、リセプタクルコネクタ６０が取り付けられる基板におけるグラウンド電位部に連結される。
【００６８】
なお、図２０及び図２１には、リセプタクルコネクタ６０に設けられた、リセプタクルコネクタ６０が取り付けられる基板に設けられた係合孔に嵌合する係合突起６９が示されている。
【００６９】
上述のような本発明に係るコネクタ装置の第１の例を成すプラグコネクタ５５にあっては、絶縁ハウジングもしくはそれに相当する絶縁部材を構成要素として備えることが必要とされず、その結果、コストの削減に繋がることになる、少なくとも配線板状部材１１の厚み方向の寸法の低減，部品点数の減少，組立て工数の低減等を図ることができる。それに加えて、絶縁ハウジングもしくはそれに相当する絶縁部材を備えないことからして、絶縁ハウジング以外の各構成要素が絶縁ハウジングに対して位置決めされることに伴って絶縁ハウジングについての極めて高い加工精度が要求されるという問題も伴わず、各構成要素について極めて高い加工精度が要求されることもない。
【００７０】
また、プラグコネクタ５５にあっては、導電性シェル１３と導電性シェル１４とによって保持される接続嵌合部１８において、配線板状部材１１における複数の接触端子部１７ａ及びシールド用導体２１の端縁部２１ａが露出し、接続嵌合部１８が、例えば、リセプタクルコネクタ６０に嵌合せしめられるときには、複数の接触端子部１７ａがリセプタクルコネクタ６０における導電コンタクト６４に接触接続されるとともに，シールド用導体２１の端縁部２１ａがリセプタクルコネクタ６０におけるグラウンド接続部を構成する導電性シェル６２に接触接続される。それにより、配線板状部材１１におけるシールド用導体２１及びそれに接触接続するリセプタクルコネクタ６０におけるグラウンド接続部により形成されるグラウンド経路と配線板状部材１１における複数の接触端子部１７ａの夫々との間の距離を一定に保つことができて、信号の伝達が行われる各接触端子部１７ａについての特性インピーダンスの変動を抑制することができることになる。
【００７１】
さらに、配線板状部材１１の一端部１２が形成する平板状支持部１９に取り付けられる導電性シェル１３が、平板状支持部１９の第１の面と第２の面との間の端面に押圧係合する押圧片部３１及び３４が設けられたものとされているので、導電性シェル１３の平板状支持部１９への取付けを、配線板状部材１１の厚み方向の寸法の増加が最小限に抑えられるもとで、確実に行うことができる。
【実施例２】
【００７２】
図２２は、図１に示される配線板状部材１１の一端部１２及び操作レバー１５と共に本発明に係るコネクタ装置の第２の例を構成する、導電性シェル７１，導電性シェル７２及び導電性シェル７１と導電性シェル７２とを連結する一対の連結部７３Ａ及び７３Ｂを示す。
【００７３】
図２２に示される導電性シェル７１, 導電性シェル７２及び一対の連結部７３Ａ及び７３Ｂは、一対の連結部７３Ａ及び７３Ｂが、導電性シェル７１と導電性シェル７２とを相互連結して、それらを一体化するものとされている。そして、これらの導電性シェル７１, 導電性シェル７２及び一対の連結部７３Ａ及び７３Ｂは、例えば、弾性金属板材に打抜き加工及び押圧屈曲加工が施されて一体的に形成される。
【００７４】
導電性シェル７１は、前述の図２及び図７に示される導電性シェル１３と同様に形成されて、細長の平板状部７５を有しており、平板状部７５の相互対向する両端部の一方である一端部には、押圧片部７６と係合部７７及び７８とが設けられており、また、平板状部７５の相互対向する両端部の他方である他端部には、押圧片部７９と係合部８０及び８１とが設けられている。さらに、係合部７８からは、係止部８２が外方に突出しており、係合部８１からは、係止部８３が外方に突出している。
【００７５】
一方、導電性シェル７２も、前述の図２，図８及び図９に示される導電性シェル１４と同様に形成されて、細長の平板状部８５を有しており、平板状部８５の相互対向する両端部の一方である一端部には、係合部８６及び８７が設けられており、また、平板状部８５の相互対向する両端部の他方である他端部には、係合部８８及び８９が設けられている。平板状部８５には、複数の押圧舌片部８５ａが所定の間隔をおいて形成されている。また、係合部８７及び８９にも、押圧舌片部８７ａ及び８９ａが夫々形成されている。
【００７６】
そして、導電性シェル７１における係合部７７と導電性シェル７２における係合部８６とが連結部７３Ａによって相互連結されているとともに、導電性シェル７１における係合部８０と導電性シェル７２における係合部８８とが連結部７３Ｂによって相互連結されている。連結部７３Ａ及び７３Ｂの夫々は、導電性シェル７１における平板状部７５と導電性シェル７２における平板状部８５とを相互対向させる状態をとる。
【００７７】
導電性シェル７１は、図１に示される配線板状部材１１における平板状支持部１９に、前述の導電性シェル１３の平板状支持部１９への取付けと同様の態様をもって取り付けられる。導電性シェル７１が配線板状部材１１における平板状支持部１９に取り付けられるにあたっては、実際には、例えば、先ず、配線板状部材１１が、図２２に示されるように連結部７３Ａ及び７３Ｂによって相互連結された導電性シェル７１と導電性シェル７２との間に挿入され、その後、導電性シェル７１が配線板状部材１１における平板状支持部１９に取り付けられる。斯かる導電性シェル７１の平板状支持部１９への取付けは、導電性シェル７１における平板状部７５の内面が、配線板状部材１１における平板状支持部１９の第１の面に対接せしめられるもとで行われる。
【００７８】
その際、導電性シェル７１における係合部７８の一部が配線板状部材１１に設けられた切欠き部２０Ａに係合するとともに、導電性シェル７１における係合部８１の一部が配線板状部材１１に設けられた切欠き部２０Ｂに係合し、さらに、導電性シェル７１における押圧片部７６及び７９の夫々が、平板状支持部１９の第１の面と第２の面との間の端面に押圧係合して、平板状支持部１９に対する導電性シェル７１の位置決めを行う。それにより、導電性シェル７１が、平板状支持部１９に、その第１の面を、平板状部７５によって、例えば、絶縁部材等を介することなく、直接的に覆うべく取り付けられた状態が得られる。
【００７９】
また、図２に示される操作レバー１５が、平板状支持部１９に取り付けられた導電性シェル１３への取付けと同様の態様をもって、平板状支持部１９に取り付けられた導電性シェル７１に取り付けられる。その際には、操作レバー１５の端部４８が、それに設けられた軸部５０が導電性シェル７１における係合部７８の内側に嵌合して導電性シェル７１における係止部８２による抜止めを受けるものとされて、導電性シェル７１の一端部により回動可能に保持されるとともに、操作レバー１５の端部４９が、それに設けられた軸部５１が導電性シェル７１における係合部８１の内側に嵌合して導電性シェル７１における係止部８３による抜止めを受けるものとされて、導電性シェル７１の他端部により回動可能に保持される。それにより、操作レバー１５が、導電性シェル７１に、それに対して回動可能に取り付けられる。
【００８０】
さらに、導電性シェル７２が、前述の導電性シェル１４の、平板状部１９に取り付けられた導電性シェル１３への取付けと同様の態様をもって、平板状支持部１９に取り付けられた導電性シェル７１に取り付けられる。斯かる導電性シェル７２の導電性シェル７１への取付けは、導電性シェル７２における平板状部８５の内面が、配線板状部材１１における平板状支持部１９の第２の面に対接せしめられるもとで行われる。
【００８１】
その際、導電性シェル７２における係合部８６及び８８が、導電性シェル７１における係合部７７及び８０に夫々係合するとともに、導電性シェル７２における係合部８７及び８９が、導電性シェル７１における係合部７８及び８１に夫々係合して、導電性シェル７１が取り付けられた平板状支持部１９に対する導電性シェル７２の位置決めを行う。それにより、図２３及び図２４に示されるように、導電性シェル７２が、平板状支持部１９に取り付けられた導電性シェル７１に、平板状支持部１９の第２の面を、平板状部８５によって、例えば、絶縁部材等を介することなく、直接的に覆うべく、かつ、導電性シェル７１における係合部７８の内側及び係合部８１の内側に嵌合した、操作レバー１５における端部４８及び４９を、係合部８７に形成された押圧舌片部８７ａ及び係合部８９に形成された押圧舌片部８９ａによって夫々位置規制すべく取り付けられた状態が得られる。
【００８２】
このようにして、配線板状部材１１の一端部１２が形成する平板状支持部１９に導電性シェル７１が取り付けられ、その導電性シェル７１に操作レバー１５が回動可能に取り付けられ、さらに、平板状支持部１９に取り付けられた導電性シェル７１に導電性シェル７２が取り付けられたもとにあっては、図２４における XXV−XXV 線断面を示す図２５にも示されるように、導電性シェル７１における係合部７７と導電性シェル７２における係合部８６とが連結部７３Ａによって相互連結されており、また、導電性シェル７２における係合部８０と導電性シェル７２における係合部８８とが連結部７３Ｂによって相互連結されていて、図２５に加えて、図２４におけるXXVI−XXVI線断面を示す図２６及び図２４における XXVII−XXVII 線断面を示す図２７にも示されるように、導電性シェル７１における平板状部７５と導電性シェル７２における平板状部８５とが、平板状支持部１９を挟んで対向する位置に配される。そして、導電性シェル７１における平板状部７５が、平板状支持部１９の第１の面を直接的に覆い、また、導電性シェル７２における平板状部８５が、平板状支持部１９の第２の面を直接的に覆うことになる。
【００８３】
図２５に示されるように、導電性シェル７１における係合部７８への導電性シェル７２における係合部８７の係合は、例えば、導電性シェル７２における係合部８７に設けられた係合孔８７ｂが導電性シェル７１における係合部７８に設けられた係合突起７８ａに係合することによりなされる。同様に、導電性シェル７１における係合部８１への導電性シェル７２における係合部８９の係合も、詳細図示はされていないが、例えば、導電性シェル７２における係合部８９に設けられた係合孔が導電性シェル７１における係合部８１に設けられた係合突起に係合することによりなされる。
【００８４】
また、図２６及び図２７に示されるように、平板状支持部１９の第１の面を覆う導電性シェル７１の平板状部７５は、平板状支持部１９に配されたシールド用導体２１に直接に当接して電気的に接触する。それにより、導電性シェル７１がシールド用導体２１との電気的接続がなされた状態におかれる。さらに、平板状支持部１９の第２の面を覆う導電性シェル７２の平板状部８５に形成された押圧舌片部８５ａは、平板状支持部１９に配されたシールド用導体２２に押圧当接して、シールド用導体２２に電気的に接触する。それにより、導電性シェル７２がシールド用導体２２との電気的接続がなされた状態におかれる。
【００８５】
そして、図２３〜図２７に示されるように、平板状支持部１９の第２の面を覆う導電性シェル７２の平板状部８５における係合部８６と係合部８８とによって挟まれた端縁部８５ｂからは、複数の接触端子部１７ａが配列配置された接続嵌合部１８が外方に向かって突出ており、複数の接触端子部１７ａが露出するものとされる。
【００８６】
また、図２６及び図２７に示されるように、平板状支持部１９の第１の面を覆う導電性シェル７１の平板状部７５における係合部７７と係合部８０とによって挟まれた端縁部７５ａからは、シールド用導体２１の端縁部２１ａが配された接続嵌合部１８が外方に向かって突出ており、シールド用導体２１の端縁部２１ａが、端子配列方向に拡がる状態をもって露出するものとされる。
【００８７】
その結果、配線板状部材１１の一端部１２が形成する平板状支持部１９の第１の面を直接的に覆う平板状部７５を有した導電性シェル７１と、平板状支持部１９の第２の面を直接的に覆い、平板状支持部１９を挟んで平板状部７５に対向する平板状部８５を有した導電性シェル７２とが、配線板状部材１１の一端部１２が形成する接続嵌合部１８を、複数の接触端子部１７ａ及びシールド用導体２１の端縁部２１ａを露出させる状態をもって保持する構成がとられ、それによって、本発明に係るコネクタ装置の第２の例が得られる。このようにして得られる本発明に係るコネクタ装置の第２の例も、相手方コネクタ装置とされるリセプタクルコネクタに嵌合連結されるプラグコネクタとしての機能を果たす。
【００８８】
従って、本発明に係るコネクタ装置の第２の例において、導電性シェル７１及び導電性シェル７２は、接続嵌合部１８を、複数の接触端子部１７ａ及びシールド用導体２１の端縁部２１ａを露出させる状態をもって、相手方コネクタ装置であるリセプタクルコネクタに嵌合させるべく保持していることになる。
【００８９】
このような本発明に係るコネクタ装置の第２の例も、前述の本発明に係るコネクタ装置の第１の例をなすプラグコネクタ５５と同様に、例えば、図１７に示されるリセプタクルコネクタ６０に嵌合するものとして用いられ、その際には、リセプタクルコネクタ６０との嵌合態様が、前述のプラグコネクタ５５のリセプタクルコネクタ６０との嵌合態様と同様なものとされる。
【００９０】
そして、本発明に係るコネクタ装置の第２の例によれば、前述の本発明に係るコネクタ装置の第１の例をなすプラグコネクタ５５により得られる作用効果と同様な作用効果が得られ、さらに、それに加えて、導電性シェル７１と導電性シェル７２とが、連結部７３Ａ及び７３Ｂにより相互連結されて一体化されているので、導電性シェル７１と導電性シェル７２との作成を、例えば、金属板素材に対する打抜き加工により、同時かつ容易に行うことができ、さらに、導電性シェル７１と導電性シェル７２とを用いた組立て工程を簡易化することができて、その結果、より一層のコストの削減を図ることができることになる。
【産業上の利用可能性】
【００９１】
以上のような本発明に係るコネクタ装置は、配線板状部材における複数の接触端子部が配列配置されて設けられた接続嵌合部を含んで構築されて、例えば、ソリッド印刷配線基板に取り付けられたリセプタクルコネクタに嵌合連結されるプラグコネクタとして機能し、配線板状部材の厚み方向の寸法の低減，部品点数の減少，組立て工数の低減等を図ることができ、さらには、各構成要素について極めて高い加工精度が要求されることがなく、しかも、信号の伝達が行われる各接触端子部についての特性インピーダンスの変動を抑制することができるものとして、様々な電子機器等に広く適用され得るものである。
【符号の説明】
【００９２】
１１・・・配線板状部材，  １２・・・（配線板状部材１１の）一端部，  １３，１４，６２，７１，７２・・・導電性シェル，  １５・・・操作レバー，  １６・・・板状絶縁基体，  １７・・・細帯状導体，  １７ａ・・・接触端子部，  １８・・・接続嵌合部，  １９・・・平板状支持部，  ２０Ａ，２０Ｂ・・・切欠き部，  ２１，２２・・・シールド用導体，  ２３，２４・・・保護フィルム，  ３０，４０，７５，８５・・・平板状部，  ３１，３４，７６，７９・・・押圧片部，  ４０ａ，４２ａ，４４ａ，８５ａ，８７ａ，８９ａ・・・押圧舌片部，  ３２，３３，３５，３６，４１，４２，４３，４４，７７，７８，８０，８１，８６，８７，８８，８９・・・係合部，  ５５・・・プラグコネクタ，  ６０・・・リセプタクルコネクタ，  ６１・・・絶縁ハウジング，  ６３・・・嵌合凹部，  ６４・・・導電コンタクト，  ６７Ａ，６７Ｂ・・・グラウンド端子部，  ６８Ａ，６８Ｂ・・・弾性係合部，  ７３Ａ，７３Ｂ・・・連結部
【図１】
2011187367.tif 000003
【図２】
2011187367.tif 000004
【図３】
2011187367.tif 000005
【図４】
2011187367.tif 000006
【図５】
2011187367.tif 000007
【図６】
2011187367.tif 000008
【図７】
2011187367.tif 000009
【図８】
2011187367.tif 000010
【図９】
2011187367.tif 000011
【図１０】
2011187367.tif 000012
【図１１】
2011187367.tif 000013
【図１２】
2011187367.tif 000014
【図１３】
2011187367.tif 000015
【図１４】
2011187367.tif 000016
【図１５】
2011187367.tif 000017
【図１６】
2011187367.tif 000018
【図１７】
2011187367.tif 000019
【図１８】
2011187367.tif 000020
【図１９】
2011187367.tif 000021
【図２０】
2011187367.tif 000022
【図２１】
2011187367.tif 000023
【図２２】
2011187367.tif 000024
【図２３】
2011187367.tif 000025
【図２４】
2011187367.tif 000026
【図２５】
2011187367.tif 000027
【図２６】
2011187367.tif 000028
【図２７】
2011187367.tif 000029